(57)【要約】【課題】携帯端末の外観を損なわない態様で携帯端末に鏡を備えさせた携帯端末を提供する。【解決手段】携帯端末の一形態である携帯電話１００における筐体１１には、鏡面を備えた鏡面部２１を収容する鏡面収容部１３が設けられている。鏡面部２１は、開口部１４から鏡面収容部１３の内外へスライド移動することができる機構となっている。同様に携帯電話１００における筐体１２には、鏡面を備えた鏡面部２２を収容する鏡面収容部１５が設けられている。鏡面部２２は、開口部１６から鏡面収容部１５の内外へスライド移動することができる機構となっている。【選択図】      図１
0003132522.tif 000002
【実用新案登録請求の範囲】
【請求項１】
携帯端末を構成する筐体中に前記筐体の内外を移動可能な鏡面部を備えたことを特徴とする携帯端末。
【請求項２】
前記筐体は、
前記鏡面部を収容する鏡面収容部と、
前記鏡面部が前記筐体の内外へ移動する際の出入り口となる開口部と、
前記鏡面収容部の所定の面に設けられ、前記鏡面収容部の所定の面に沿って前記鏡面部を前記筐体の内外へスライド移動させるガイド部と
を具備し、
前記鏡面部は、前記ガイド部に対応するガイド溝を具備することを特徴とする請求項１記載の携帯端末。
【請求項３】
前記筐体は、
前記鏡面部の一部と接続され、前記鏡面部を前記ガイド部に沿ってスライド移動させるバネ部材と、
前記開口部から外への前記鏡面部のスライド移動を制限するスライド移動制限部と、
前記スライド移動制限部における前記鏡面部のスライド移動の制限を解除する制限解除部と
をさらに具備することを特徴とする請求項２記載の携帯端末。
【請求項４】
前記筐体は、
前記鏡面部を収容する鏡面収容部と、
前記鏡面部が前記筐体の内外へ移動する際の出入り口となる開口部と、
前記開口部付近に設けられ、前記鏡面部と軸着されたピン部材と
を具備し、
前記鏡面部は、前記ピン部材に相当する位置を支点として回動することにより前記筐体の内外を移動することを特徴とする請求項１記載の携帯端末。
【請求項５】
ガイド溝が設けられた鏡面部と、
携帯端末を構成する筐体の裏表面に沿って設けられた前記ガイド溝に対応するガイド部と
を備え、
前記鏡面部における鏡面は、前記筐体の裏表面側を向くことを特徴とする携帯端末。
【考案の詳細な説明】
【技術分野】
【０００１】
本考案は、鏡を備えた携帯端末に関し、特に携帯端末の外観を損なうことなく鏡を備えた携帯端末に関する。
【背景技術】
【０００２】
近年、携帯電話の普及が進み、ほとんどの人々が携帯電話を持つようになった。そして、携帯電話の機能が充実し、通話のみならず携帯電話により、インターネットへの接続やデータ送受信も行えるようになった。このような状況の助けもあり、携帯電話の所有者は必ずと言っていいほど携帯電話を携帯して外出する。
【０００３】
このような状況の中、従来、携帯電話の背面に取り付けるための両面テープを裏面に貼着し表面を鏡面とした鏡本体と、この鏡本体とほぼ同形で鏡本体の一端に開閉自在に軸支された蓋とを備えた携帯電話用鏡が提案されていた（例えば、特許文献１参照。）。携帯電話用鏡は携帯電話の筐体の所定の面に貼り付けて使用する。これにより、別途鏡を携帯しなくても携帯電話さえ携帯していれば、鏡を使用できる。
【特許文献１】実用新案登録第３０９４４５５号公報（図１）
【考案の開示】
【考案が解決しようとする課題】
【０００４】
しかしながら、上述の携帯電話用鏡は携帯電話の筐体の所定の面に貼り付けて使用するため、携帯電話の外観が損なわれる可能性がある。携帯電話の外観を損なわない態様で、携帯電話に鏡を備えられれば便利である。以上のことは、携帯電話のみならず携帯端末全般にも当てはまることである。
【０００５】
そこで、本考案は、携帯端末の外観を損なわない態様で携帯端末に鏡を備えさせた携帯端末を提供することを目的とする。
【課題を解決するための手段】
【０００６】
本考案は、上記課題を解決するためになされたものであり、本考案の携帯端末は、携帯端末を構成する筐体中に上記筐体の内外を移動可能な鏡面部を備えたことを特徴とするものである。これにより、鏡面部を使用しない場合は鏡面部を携帯端末の筐体内部に収容させ、鏡面部を使用する場合にのみ鏡面部を携帯端末の筐体外に出させるという作用をもたらす。携帯端末をこのように構成すれば、外観を損なわない携帯端末を提供することができる。
【０００７】
また、本考案の携帯端末において、上記筐体は、上記鏡面部を収容する鏡面収容部と、上記鏡面部が上記筐体の内外へ移動する際の出入り口となる開口部と、上記鏡面収容部の所定の面に設けられ、上記鏡面収容部の所定の面に沿って上記鏡面部を上記筐体の内外へスライド移動させるガイド部とを具備し、上記鏡面部は、上記ガイド部に対応するガイド溝を具備することを特徴とする。これにより、鏡面部を携帯端末の内外へスライドさせて移動させるという作用をもたらす。
【０００８】
また、本考案の携帯端末において、上記筐体は、上記鏡面部の一部と接続され、上記鏡面部を上記ガイド部に沿ってスライド移動させるバネ部材と、上記開口部から外への上記鏡面部のスライド移動を制限するスライド移動制限部と、上記スライド移動制限部における上記鏡面部のスライド移動の制限を解除する制限解除部とをさらに具備することを特徴とする。これにより、鏡面部を携帯端末の内外へバネの力によりスライドさせて移動させるという作用をもたらす。
【０００９】
また、本考案の携帯端末において、上記筐体は、上記鏡面部を収容する鏡面収容部と、上記鏡面部が上記筐体の内外へ移動する際の出入り口となる開口部と、上記開口部付近に設けられ、上記鏡面部と軸着されたピン部材とを具備し、上記鏡面部は、上記ピン部材に相当する位置を支点として回動することにより上記筐体の内外を移動することを特徴とする。これにより、鏡面部を携帯端末の内外へ回動させて移動させるという作用をもたらす。
【００１０】
また、本考案の携帯端末は、ガイド溝が設けられた鏡面部と、携帯端末を構成する筐体の裏表面に沿って設けられた上記ガイド溝に対応するガイド部とを備え、上記鏡面部における鏡面は、上記筐体の裏表面側を向くことを特徴とするものである。これにより、鏡面部を携帯端末の裏面においてスライドさせて移動させるという作用をもたらす。
【考案の効果】
【００１１】
本考案によれば、携帯端末に鏡を備えても携帯端末の外観を損なわないという優れた効果を奏し得る。
【考案を実施するための最良の形態】
【００１２】
次に本考案の実施の形態について図面を参照して詳細に説明する。なお、本考案における携帯端末は、例えば携帯電話、携帯型の音楽再生装置等の携帯できる全ての端末を含むものである。以下に示す本考案の実施の形態においては、本考案の携帯端末を携帯電話に適用した例を示す。
【００１３】
図１は、本考案の実施の形態における携帯電話１００の一例を示す図である。携帯電話１００における筐体１１はその内部に（図示しない）表示回路等を収めるものであり、筐体１２はその内部に（図示しない）操作回路等を収めるものである。
【００１４】
筐体１１には、図１（ａ）に示ように鏡面を備えた鏡面部２１を収容する鏡面収容部１３が設けられている。また、筐体１１には、鏡面収容部１３に収容されている鏡面部２１が鏡面収容部１３の内外へ移動する際の出入り口である開口部１４が設けられている。
【００１５】
筐体１１と同様に、筐体１２には、図１（ａ）に示ように鏡面を備えた鏡面部２２を収容する鏡面収容部１５が設けられている。また、筐体１２には、鏡面収容部１５に収容されている鏡面部２２が鏡面収容部１５の内外へ移動する際の出入り口である開口部１６が設けられている。
【００１６】
鏡面部２１および鏡面部２２は、図１（ｂ）に示す矢印方向に沿ってそれぞれ開口部１４および開口部１６から鏡面収容部１３および鏡面収容部１５の内外にスライド移動することができるようになっている。鏡面部２１および鏡面部２２の移動の機構の詳細については図２および図３で述べることとする。
【００１７】
なお、図１において筐体１１および筐体１２の構成は、鏡面部２１および鏡面部２２がそれぞれ筐体１１および筐体１２の側面部から筐体１１および筐体１２の内外へ移動するよう構成されているが、これに限るものではない。すなわち、筐体１１の上端面部および筐体１２の下端面部から鏡面部２１および鏡面部２２がそれぞれ筐体１１および筐体１２の内外へ移動するよう構成してもよい。また、図１においては、筐体１１および筐体１２の両方に鏡面部を設けた例を示してあるが、筐体１１および筐体１２のいずれか一方に鏡面部を設けるものであってもよい。
【００１８】
以上のように携帯電話１００を構成すれば、別途鏡を携帯する必要がなくなり、携帯する荷物を少なくすることができる。また、鏡面部２１および鏡面部２２を使用しない場合、鏡面部２１および鏡面部２２をそれぞれ携帯電話１００における筐体１１および筐体１２に収容しておけるため、携帯電話１００の外観を損なわない見栄えの良い携帯電話を実現することができる。
【００１９】
図２は、本考案の実施の形態における筐体１２における鏡面部２２の移動の機構の一例を示す図である。なお、以下において説明する筐体１２における鏡面部２２の移動の機構は、筐体１１における鏡面部２１の移動の機構にも適用することができる。筐体１２に設けられた鏡面収容部１５には、ガイド部１５１ａおよびガイド部１５１ｂと、ストッパ部１５２ａおよびストッパ部１５２ｂが設けられている。
【００２０】
ガイド部１５１ａおよびガイド部１５１ｂは、鏡面収容部１５の両側面に設けられた凸部である。鏡面部２２は、このガイド部１５１ａおよびガイド部１５１ｂに沿って図２（ａ）の矢印方向をスライド移動する。ストッパ部１５２ａおよびストッパ部１５２ｂは、鏡面部２２が筐体１２の外にスライド移動して筐体１２から離れることを防ぐストッパである。
【００２１】
鏡面部２２は、鏡面が設けられた鏡面体２２１と、鏡面移動部材２２２と、鏡面操作部材２２３とを備える。鏡面体２２１には、鏡が貼られている。そして、鏡面体２２１は鏡面移動部材２２２に結合している。また、鏡面移動部材２２２の両端付近には、上記ガイド部１５１ａおよびガイド部１５１ｂとそれぞれ嵌合するガイド溝２２２ａおよびガイド溝２２２ｂが設けられている。
【００２２】
ガイド部１５１ｂとガイド溝２２２ｂとが嵌合する様子を図２（ｂ）に示す。図２（ｂ）は、図２（ａ）における楕円領域Ａの拡大図である。ガイド部１５１ｂを、例えば直方体形状とした場合、ガイド溝２２２ｂはその直方体形状のガイド部１５１ｂと嵌合するように形成される。これにより、鏡面移動部材２２２と結合した鏡面体２２１は、ガイド部１５１ａおよびガイド部１５１ｂに沿ってスライド移動することになる。
【００２３】
また、鏡面移動部材２２２の端部は、鏡面部２２をスライド移動させて鏡面体２２１の終端部２２１ａが開口部１６付近までくるとストッパ部１５２ａおよびストッパ部１５２ｂと接触する。これにより、鏡面部２２の移動は、鏡面収容部１５の壁面１５３からストッパ部１５２ａおよびストッパ部１５２ｂまでの間に制限される。
【００２４】
鏡面操作部材２２３は、鏡面体２２１および鏡面移動部材２２２を移動させるものであり、鏡面操作部材２２３を把持して図２の矢印方向に力を加えることにより鏡面体２２１および鏡面移動部材２２２は移動する。
【００２５】
図３は、本考案の実施の形態における筐体１２における鏡面部２２の別の移動の機構の一例を示す図である。なお、図２において用いた符号が指す部材等と同じ機能を有する図３における部材等については、図３においても同じ符号を用いるものとする。また、以下において説明する筐体１２における鏡面部２２の別の移動の機構は、筐体１１における鏡面部２１の移動の機構にも適用することができる。
【００２６】
図３（ａ）は、鏡面収容部１５に鏡面部２２が収容された様子を示す図である。鏡面部２２は、鏡面が設けられた鏡面体２２１と、鏡面移動部材２２２とを備える。鏡面体２２１および鏡面移動部材２２２とは図２で説明済みであるため、説明を省略する。
【００２７】
筐体１２に設けられた鏡面収容部１５には、ガイド部１５１ｂと、ストッパ部１５２ａおよびストッパ部１５２ｂと、バネ部材１５４と、スライド移動制限部１５５と、制限解除部１５６とが設けられている。ガイド部１５１ｂと、ストッパ部１５２ａおよびストッパ部１５２ｂは、図２で説明したものと同様であるため、説明を省略する。なお、図３において図２のガイド部１５１ａは示されていないが、構造上可能な範囲でガイド部１５１ａを設けても良い。
【００２８】
バネ部材１５４は、鏡面部２２を矢印Ｂ方向に移動させるものであり、一端が壁面１５３と結合しており、他端が鏡面移動部材２２２と結合している。鏡面移動部材２２２のガイド溝２２２ｂはガイド部１５１ｂと嵌合しており、鏡面移動部材２２２はバネ部材１５４より力を受けると、ガイド部１５１ｂに沿ってスライド移動する。
【００２９】
スライド移動制限部１５５は、鏡面部２２が図３（ａ）に示す矢印Ｂ方向にスライド移動することを制限するものであり、スライド移動制限部材１５５ａと、スライド移動制限バネ１５５ｂと、スライド移動制限部材収容部１５５ｃとを備える。
【００３０】
スライド移動制限部材１５５ａは、鏡面移動部材２２２の一端を押えることによって、鏡面部２２が矢印Ｂ方向へ移動することを制限するものである。そして、スライド移動制限部材１５５ａは、例えば図３（ａ）に示すように三角形柱状をしたものが想定される。スライド移動制限部材１５５ａの形状を三角形柱状とすることにより、図３（ｂ）に示すように面１５５ｄに後述する制限解除部材１５６ａから受けた矢印Ｃ方向の力を矢印Ｄ方向の力に変換することができる。
【００３１】
なお、以上のように制限解除部材１５６ａから矢印Ｃ方向に受けた力を矢印Ｄ方向の力に変換することができる形状であれば、スライド移動制限部材１５５ａの形状は三角柱形状以外の形状であっても良い。スライド移動制限部材１５５ａおよび制限解除部材１５６ａの形状は上記のような作用を実現できる範囲のもの全てを含む。
【００３２】
スライド移動制限バネ１５５ｂは、その一端がスライド移動制限部材１５５ａと結合しており、他端がスライド移動制限部材収容部１５５ｃにおける壁面と結合している。スライド移動制限部材１５５ａは、上記説明したように制限解除部材１５６ａから矢印Ｃの方向の力を受けるとその力を矢印Ｄ方向に変換する。そして、その矢印Ｄ方向に変換された力によりスライド移動制限バネ１５５ｂが縮められ、移動制限部材１５５ａはスライド移動制限部材収容部１５５ｃ内に収容される。
【００３３】
制限解除部１５６は、スライド移動制限部１５５による鏡面部２２の移動の制限を解除するものであり、制限解除部材１５６ａと、制限解除バネ１５６ｂと、制限解除スイッチ１５６ｃとを備える。図３（ｂ）に示すように制限解除スイッチ１５６ｃに対して矢印Ｅ方向に力を加えると制限解除バネ１５６ｂを介して制限解除部材１５６ａは、スライド移動制限部材１５５ａを矢印Ｃの方向に押す。
【００３４】
矢印Ｃの方向に押されたスライド移動制限部材１５５ａは、上記説明したように矢印Ｄ方向へ移動することになる。これにより、スライド移動制限部材１５５ａは、スライド移動制限部材収容部１５５ｃに押し込められて鏡面移動部材２２２の一端から離れる。
【００３５】
スライド移動制限部材１５５ａによる抵抗力がなくなると、鏡面部２２はバネ部材１５４により矢印Ｂ方向にスライド移動させられる。そして、鏡面部２２は、図３（ｃ）に示すように鏡面移動部材２２２の両端部がストッパ部１５２ａおよびストッパ部１５２ｂと接触する位置までバネ部材１５４によりスライド移動させられる。
【００３６】
一方、制限解除スイッチ１５６ｃに対して加えた矢印Ｅ方向への力を取り除くと、図３（ｃ）に示すように制限解除バネ１５６ｂは、その復元力により制限解除部材１５６ａおよび制限解除スイッチ１５６ｃに矢印Ｆ方向に力を加え、制限解除部材１５６ａおよび制限解除スイッチ１５６ｃを元の位置に戻す。それに伴い、スライド移動制限部材収容部１５５ｃに押し込められたスライド移動制限部材１５５ａは、スライド移動制限バネ１５５ｂの復元力により矢印Ｇ方向に力を受け、元の位置に戻る。
【００３７】
次に、図３（ｃ）の状態にある鏡面部２２に矢印Ｈ方向の力を加えた場合を図３（ｄ）により説明する。図３（ｃ）の状態にある鏡面部２２に矢印Ｈ方向の力を加えると、鏡面部２２は矢印Ｈ方向に移動する。鏡面部２２が矢印Ｈ方向に移動して鏡面収容部１５に押し込められると、鏡面移動部材２２２の端部がスライド移動制限部材１５５ａと接触する。
【００３８】
さらに鏡面部２２に矢印Ｈ方向の力を加えると、鏡面移動部材２２２の端部はスライド移動制限部材１５５ａに対して矢印Ｃ方向へ力を及ぼすようになる。スライド移動制限部材１５５ａは、矢印Ｃ方向へ力を受けると矢印Ｄ方向へ移動し、上記説明したようにスライド移動制限部材収容部１５５ｃに押し込められて鏡面移動部材２２２の端部から離れる。
【００３９】
そして、さらに鏡面部２２に矢印Ｈ方向に移動すると、スライド移動制限バネ１５５ｂの復元力によりスライド移動制限部材１５５ａは元の位置に戻り、図３（ａ）に示す状態になる。
【００４０】
筐体１２における鏡面部２２の移動の機構を以上のように構成すれば、制限解除スイッチ１５６ｃを矢印Ｅ方向に押すだけで、鏡面部２２は開口部１６から外に飛び出す。また、鏡面部２２を鏡面収容部１５に戻す場合は、鏡面部２２を矢印Ｈ方向に押すだけでよい。
【００４１】
図４は、本考案の別の実施の形態における携帯電話３００の一例を示す図である。図４（ａ）に示すように本考案の別の実施の形態における携帯電話３００は、本考案の実施の形態における携帯電話１００と同様に、その内部に（図示しない）表示回路等を収めた筐体３１１と、その内部に（図示しない）操作回路等を収めた筐体３１２にそれぞれ鏡面を備えた鏡面部３２１および鏡面部３２２を収容している。
【００４２】
鏡面部３２１は、筐体３１１に設けられた鏡面収容部３１３に収容され、鏡面部３２２は、筐体３１２に設けられた鏡面収容部３１５に収容されている。また、筐体３１１および筐体３１２にはそれぞれ開口部３１４および開口部３１６が設けられている。開口部３１４および開口部３１６を出入り口として、鏡面部３２１および鏡面部３２２はそれぞれ鏡面収容部３１３および鏡面収容部３１５の内外を移動する。
【００４３】
以上説明した本考案の別の実施の形態における携帯電話３００における構成は、図１（ａ）と図４（ａ）とを比較すれば明らかなように本考案の実施の形態における携帯電話１００とほぼ同じ構成である。本考案の実施の形態における携帯電話１００と本考案の別の実施の形態における携帯電話３００との相違点は、鏡面部が鏡面収容部の内外を移動する際の移動態様である。
【００４４】
本考案の実施の形態における携帯電話１００の鏡面部２１および鏡面部２２がそれぞれ鏡面収容部１３および鏡面収容部１５の内外を移動する際は、上記説明したようにスライド移動する。これに対して、本考案の別の実施の形態における携帯電話３００の鏡面部３２１および鏡面部３２２がそれぞれ鏡面収容部３１３および鏡面収容部３１５の内外を移動する際は、図４（ｂ）に示すようにピン部材３１７およびピン部材３１８の中心を支点として回動して移動する。
【００４５】
なお、図４（ｂ）において鏡面部３２１および鏡面部３２２の形状は、略扇形状となっているが、これに限るものではない。すなわち、上記説明したように鏡面部３２１および鏡面部３２２がそれぞれピン部材３１７およびピン部材３１８の中心を支点として回動して鏡面収容部３１３および鏡面収容部３１５の内外を移動することができれば、鏡面部３２１および鏡面部３２２の形状は特定の形状に限定されるものではない。
【００４６】
なお、図４においては、筐体３１１および筐体３１２の両方に鏡面部を設けた例を示してあるが、筐体３１１および筐体３１２のいずれか一方に鏡面部を設けるものであってもよい。
【００４７】
図５は、本考案の別の実施の形態における筐体３１２における鏡面部３２２の移動の機構の一例を示す図である。なお、以下において説明する筐体３１２における鏡面部３２２の移動の機構は、筐体３１１における鏡面部３２１の移動の機構にも適用することができる。
【００４８】
鏡面部３２２は、図５（ａ）に示すように鏡面収容部３１５における開口部３１６の端付近に設けられたピン部材３１８に軸着されている。鏡面部３２２に設けられた鏡面操作部材３２３を把持して、図５（ａ）に示す矢印方向に鏡面部３２２を引っ張ると、図５（ｂ）に示すように鏡面部３２２はピン部材３１８の中心を支点として回動する。鏡面部３２２を鏡面収容部３１５に収容する場合は、鏡面操作部材３２３を把持して図５（ｂ）に示す矢印方向に力を加えて鏡面部３２２をその矢印方向に回動させる。
【００４９】
図６は、本考案の別の実施の形態における携帯電話４００および携帯電話５００の一例を示す図である。図６（ａ）は、本考案の別の実施の形態における携帯電話４００の一例を示す図である。携帯電話４００は、その内部に（図示しない）表示回路等を収めた筐体４１１の所定の面、およびその内部に（図示しない）操作回路等を収めた筐体４１２の所定の面にそれぞれ鏡面を備えた鏡面部４２１および鏡面部４２２を備えている。
【００５０】
鏡面部４２１は、筐体４１１の表示画面の位置する面と反対の面（以下、表示裏面と呼ぶ。）に設けられている。鏡面部４２１の表面の両端付近にはガイド溝４２１ａおよびガイド溝４２１ｂが設けられている。また、筐体４１１の表示裏面には、ガイド溝４２１ａおよびガイド溝４２１ｂに対応する（図示しない）ガイドレールが設けられている。これにより、鏡面部４２１は、図６（ａ）に示す矢印方向にスライド移動することができる。
【００５１】
鏡面部４２２も上記説明した鏡面部４２１の構造と同様の構造になっている。すなわち、鏡面部４２２は、筐体４１２の操作ボタンが備えられた面と反対の面（以下、操作裏面と呼ぶ。）に設けられている。鏡面部４２２の表面の両端付近にはガイド溝４２２ａおよびガイド溝４２２ｂが設けられている。また、筐体４１２の操作裏面には、ガイド溝４２２ａおよびガイド溝４２２ｂに対応する（図示しない）ガイドレールが設けられている。これにより、鏡面部４２２は、図６（ａ）に示す矢印方向にスライド移動することができる。
【００５２】
図６（ｂ）は、本考案の別の実施の形態における携帯電話５００の一例を示す図である。携帯電話５００は、その内部に（図示しない）表示回路等を収めた筐体５１１の所定の面、およびその内部に（図示しない）操作回路等を収めた筐体５１２の所定の面にそれぞれ鏡面を備えた鏡面部５２１および鏡面部５２２を備えている。
【００５３】
鏡面部５２１は、筐体５１１の表示裏面に設けられている。本考案の別の実施の形態における携帯電話４００の鏡面部４２１は、筐体４１１から移動することができる構造になっているのに対して、本考案の別の実施の形態における携帯電話５００の鏡面部５２１は筐体５１１の表示裏面に貼り付けられており、鏡面部５２１は筐体５１１から移動することができない構造になっている。また、筐体５１１の表示裏面には、鏡面部５２１を保護する保護カバー５２３が図６（ｂ）に示すようなスライド移動できる態様で取り付けられている。
【００５４】
鏡面部５２２も上記説明した鏡面部５２１の構造と同様の構造になっている。すなわち、鏡面部５２２は、筐体５１２の操作裏面に設けられている。そして、鏡面部５２２は筐体５１２の操作裏面に貼り付けられており、鏡面部５２２筐体５１２から移動することができない構造になっている。また、筐体５１２の操作裏面には、鏡面部５２２を保護する保護カバー５２４が図６（ｂ）に示すようなスライド移動できる態様で取り付けられている。
【００５５】
なお、図６（ａ）においては、筐体４１１および筐体４１２の両方に鏡面部を設けた例を示してあるが、筐体４１１および筐体４１２のいずれか一方に鏡面部を設けるものであってもよい。また、図６（ｂ）においては、筐体５１１および筐体５１２の両方に鏡面部を設けた例を示してあるが、筐体５１１および筐体５１２のいずれか一方に鏡面部を設けるものであってもよい。
【００５６】
このように、本考案の実施の形態によれば、以上のように携帯電話１００、３００、４００および５００を構成すれば、別途鏡を携帯する必要がなくなり、携帯する荷物を少なくすることができる。また、携帯電話１００および３００における鏡面部を使用しない場合、鏡面部を携帯電話１００および３００における筐体内部に収容しておけるため、外観を損なわない見栄えの良い携帯電話を実現することができる。また、携帯電話４００および５００における鏡面部を使用しない場合、外観上筐体の一部のように筐体外部表面に鏡面部を位置させておけるため、外観を損なわない見栄えの良い携帯電話を実現することができる。
【００５７】
以上のように本考案の実施の形態では、折り畳み形携帯電話について説明したが、折り畳み形携帯電話以外の携帯電話でも同様に本考案を適用することができる。また、本考案の携帯端末は、携帯電話のみならず、例えば携帯型の音楽再生装置等の携帯端末全般にも適用することができる。
【００５８】
なお、本考案の実施の形態は本考案を具現化するための一例を示したものであり、これに限定されるものではなく本考案の要旨を逸脱しない範囲において種々の変形を施すことができる。
【図面の簡単な説明】
【００５９】
【図１】本考案の実施の形態における携帯電話１００の一例を示す図である。
【図２】本考案の実施の形態における筐体１２における鏡面部２２の移動の機構の一例を示す図である。
【図３】本考案の実施の形態における筐体１２における鏡面部２２の別の移動の機構の一例を示す図である。
【図４】本考案の別の実施の形態における携帯電話３００の一例を示す図である。
【図５】本考案の別の実施の形態における筐体３１２における鏡面部３２２の移動の機構の一例を示す図である。
【図６】本考案の別の実施の形態における携帯電話４００および携帯電話５００の一例を示す図である。
【符号の説明】
【００６０】
１１、１２、３１１、３１２、４１１、４１２、５１１、５１２  筐体
１３、１５、３１３、３１５  鏡面収容部
１４、１６、３１４、３１６  開口部
２１、２２、３２１、３２２、４２１、４２２、５２１、５２２  鏡面部
１００、３００、４００、５００  携帯電話
１５１、１５１ａ、１５１ｂ  ガイド部
１５２ａ、１５２ｂ  ストッパ部
１５４  バネ部材
１５５  スライド移動制限部
１５５ａ  スライド移動制限部材
１５５ｂ  スライド移動制限バネ
１５５ｃ  スライド移動制限部材収容部
１５６  制限解除部
１５６ａ  制限解除部材
１５６ｂ  制限解除バネ
１５６ｃ  制限解除スイッチ
２２１  鏡面体
２２２  鏡面移動部材
２２２ａ、２２２ｂ、４２１ａ、４２１ｂ、４２２ａ、４２２ｂ      ガイド溝
２２３、３２３  鏡面操作部材
３１７、３１８  ピン部材
３２３  鏡面操作部材
５２３、５２４  保護カバー
【図１】
0003132522.tif 000003
【図２】
0003132522.tif 000004
【図３】
0003132522.tif 000005
【図４】
0003132522.tif 000006
【図５】
0003132522.tif 000007
【図６】
0003132522.tif 000008
【手続補正書】
【提出日】平成19年4月4日(2007.4.4)
【手続補正１】
【補正対象書類名】実用新案登録請求の範囲
【補正対象項目名】全文
【補正方法】変更
【補正の内容】
【実用新案登録請求の範囲】
【請求項１】
携帯端末を構成する筐体中に前記筐体の内外を移動可能な鏡面部を備えたことを特徴とする携帯端末。
【請求項２】
前記筐体は、
前記鏡面部を収容する鏡面収容部と、
前記鏡面部が前記筐体の内外へ移動する際の出入り口となる開口部と、
前記鏡面収容部の所定の面に設けられ、前記鏡面収容部の所定の面に沿って前記鏡面部を前記筐体の内外へスライド移動させるガイド部と
を具備し、
前記鏡面部は、前記ガイド部に対応するガイド溝を具備することを特徴とする請求項１記載の携帯端末。
【請求項３】
前記筐体は、
前記鏡面部の一部と接続され、前記鏡面部を前記ガイド部に沿ってスライド移動させるバネ部材と、
前記開口部から外への前記鏡面部のスライド移動を制限するスライド移動制限部と、
前記スライド移動制限部における前記鏡面部のスライド移動の制限を解除する制限解除部と
をさらに具備することを特徴とする請求項２記載の携帯端末。
【請求項４】
前記筐体は、
前記鏡面部を収容する鏡面収容部と、
前記鏡面部が前記筐体の内外へ移動する際の出入り口となる開口部と、
前記開口部付近に設けられ、前記鏡面部と軸着されたピン部材と
を具備し、
前記鏡面部は、前記ピン部材に相当する位置を支点として回動することにより前記筐体の内外を移動することを特徴とする請求項１記載の携帯端末。